(57)【要約】【課題】ユーザーがコントロールポイントを操作してコンテンツの再生処理を容易に行なうことができる映像再生制御装置及び映像再生制御方法を提供する。【解決手段】サーバが公開する１以上のコンテンツの中の１のコンテンツを示すＵＲＩ情報を受信する受信手段と、前記受信手段で受信した前記ＵＲＩ情報に基づいて映像再生装置に前記サーバからコンテンツを受信させて再生させる再生制御手段と、前記映像再生装置の名称の集合を含むリスト情報を保持し、前記映像再生装置の各々の位置情報を取得し、この位置情報を各々前記映像再生装置の名称と対応付けて記憶する記憶手段とを有し、前記リスト情報の中の名称の集合を前記位置情報に従って並び替えて、表示する表示手段と、前記再生制御手段は、前記表示手段の表示に対するユーザーからの指定を受け、この指定された名称に対応する前記映像再生装置に前記コンテンツを受信させて再生させる映像再生制御装置。【選択図】  図４
2012034041.tif 000002
【特許請求の範囲】
【請求項１】
サーバが公開する１以上のコンテンツの中の１のコンテンツを示すＵＲＩ情報を受信する受信手段と、
前記受信手段で受信した前記ＵＲＩ情報に基づいて映像再生装置に前記サーバからコンテンツを受信させて再生させる再生制御手段と、
前記映像再生装置の名称の集合を含むリスト情報を保持し、前記映像再生装置の各々の位置情報を取得し、この位置情報を各々前記映像再生装置の名称と対応付けて記憶する記憶手段とを有し、
前記リスト情報の中の名称の集合を前記位置情報に従って並び替えて、表示する表示手段と、
前記再生制御手段は、前記表示手段の表示に対するユーザーからの指定を受け、この指定された名称に対応する前記映像再生装置に前記コンテンツを受信させて再生させる映像再生制御装置。
【請求項２】
前記記憶手段は、前記位置情報を照明装置のＩＤを利用して取得する請求項１に記載の映像再生制御装置。
【請求項３】
前記表示手段は、前記位置情報がコントロールポイントに近い前記映像再生装置を前記表示順の上位とする請求項１に記載の映像再生制御装置。
【請求項４】
前記記憶手段は、前記位置情報を当該前記映像再生装置との通信により取得する請求項１に記載の映像再生制御装置。
【請求項５】
映像再生装置の名称の集合を含むリスト情報の表示順を決めるための前記映像再生装置の位置情報を取得し、
前記映像再生装置のリスト情報を表示しこの表示に基づく外部からのコンテンツを再生する前記映像再生装置の指定を受け、
サーバが公開する１以上のコンテンツの中の１のコンテンツを示すＵＲＩ情報を受信し、
前記ＵＲＩ情報に基づいて前記指定の前記映像再生装置に前記サーバからコンテンツを受信させて再生させる映像再生制御装置。
【発明の詳細な説明】
【技術分野】
【０００１】
本発明の実施形態は、映像再生装置にコンテンツを再生させる映像再生制御装置及び映像再生制御方法に関する。
【背景技術】
【０００２】
近年、デジタルＴＶやＨＤＤレコーダーなどの各種のデジタルＡＶ機器がホームネットワークに対応してきており、ＨＤＤレコーダーに録画したコンテンツをデジタルＴＶで視聴するといったことが可能となっている。そうした利用形態の一つとして、ＰＣや携帯電話などをコントロールポイント（ＤＬＮＡガイドラインにおけるＤＭＣ(Digital Media Controller)などを参照）として操作し、ＨＤＤレコーダーなどのmedia server device内のコンテンツを、デジタルＴＶなどのmedia renderer deviceで再生し、視聴するというものがある。
【０００３】
例えば、特許文献１に記載の内容では家庭内メディア配信システムにおいて、携帯端末からメディアサーバーに対して再生要求があったとき、メディアサーバーは利用者の携帯端末の位置を検出し、検出した位置情報を元に家庭内の電子機器のうち映像・音声・データの再生に適した電子機器を選択し、この選択した電子機器に映像・音声・データを配信する。メディアサーバーが再生装置の位置情報を保持し、携帯端末から通知される位置情報との組合せによって再生装置を決定するものである。
【０００４】
他方でユーザーがコントロールポイントを操作してコンテンツの再生処理を行ないやすくする技術の要望があるが、かかる要望を実現するための手段は知られていない。
【先行技術文献】
【特許文献】
【０００５】
【特許文献１】特開２００２−４９５５６号公報
【発明の概要】
【発明が解決しようとする課題】
【０００６】
本発明は、ユーザーがコントロールポイントを操作してコンテンツの再生処理を容易に行なうことができる映像再生制御装置及び映像再生制御方法を提供することを目的とする。
【課題を解決するための手段】
【０００７】
上記課題を解決するために、実施形態の映像再生制御装置によれば、サーバが公開する１以上のコンテンツの中の１のコンテンツを示すＵＲＩ情報を受信する受信手段と、前記受信手段で受信した前記ＵＲＩ情報に基づいて映像再生装置に前記サーバからコンテンツを受信させて再生させる再生制御手段と、前記映像再生装置の名称の集合を含むリスト情報を保持し、前記映像再生装置の各々の位置情報を取得し、この位置情報を各々前記映像再生装置の名称と対応付けて記憶する記憶手段とを有し、前記リスト情報の中の名称の集合を前記位置情報に従って並び替えて、表示する表示手段と、前記再生制御手段は、前記表示手段の表示に対するユーザーからの指定を受け、この指定された名称に対応する前記映像再生装置に前記コンテンツを受信させて再生させる。
【図面の簡単な説明】
【０００８】
【図１】実施形態におけるホームネットワークの構成を示す図。
【図２】同実施形態の映像表示装置の概略を示すブロック図。
【図３】同実施形態における携帯電話の構成を示す図。
【図４】機器管理テーブルの構成を示す図。
【図５】照明器具からのＩＤを受信している状況を示す図。
【図６】実施形態にオブジェクトツリーを示す図。
【図７】実施形態に映像表示装置に対する携帯電話によるコンテンツの再生動作指示を説明するシーケンス図。
【図８】別の実施形態における携帯電話の構成を示す図。
【発明を実施するための形態】
【０００９】
以下、本発明の実施形態を説明する。
（第１の実施形態）
本発明による第１の実施形態を図１乃至図７を参照して説明する。
近年家庭内のデジタルＡＶ機器、デジタルテレビやハードディスクレコーダーなど、がホームネットワークで相互に接続し、連携して動作するようになっている。機器を相互接続するための仕様としては、ＵＰｎＰが多く用いられている。ＵＰｎＰでは、機器が提供する機能を示すサービスと関連するサービスを提供する機器をモデル化したデバイス、およびサービスを利用するコントロールポイントを定義している。ＡＶ機器を対象としたデバイスとしては、メディアサーバー、メディアレンダラーなどが定義されている。
【００１０】
コントロールポイントは、ＳＳＤＰと呼ばれるプロトコルを用いてデバイスの存在とデバイスの種類を認識することができる。さらに、device description、service descriptionと呼ばれるＸＭＬファイルをデバイスから取得することによって、動作しているサービスの詳細を認識する。
【００１１】
メディアサーバーは、ビデオやイメージなどのデータを公開し、コントロールポイントがメディアサーバーコンテンツを取得できるようにする。メディアサーバーがコンテンツの情報を公開するために用いられるサービスがコンテントディレクトリサービス(ＣＤＳ)である。ＣＤＳが公開するオブジェクトはコンテナとアイテムと呼ばれる。
【００１２】
アイテムは一つのタイトルを表すオブジェクトである。図６は、オブジェクトツリーの一例を示す図である。コンテナはオブジェクトの集合を表し、アイテムや他のコンテナを含むことができ、ＣＤＳの公開するオブジェクトは最上位のコンテナからツリー上に構成されることになる。コンテナもしくはアイテムには、ＣＤＳ内で一意なｏｂｊｅｃｔ  ＩＤと呼ばれる識別子が付与されている。
【００１３】
コントロールポイントは、ＣＤＳが公開するオブジェクトの情報をＢｒｏｗｓｅアクションによって取得することができる。Ｂｒｏｗｓｅアクションは、情報を取得するコンテナもしくはアイテムのｏｂｊｅｃｔ  ＩＤを指定して呼び出す。メディアサーバーからコンテンツを取得するためには、ＨＴＴＰやＲＴＰが利用可能である。本実施例では、コンテンツの転送はＨＴＴＰで行うものとして記述を行う。ＣＤＳが公開するオブジェクトの情報を取得する方法として、Ｂｒｏｗｓｅアクション以外にＳｅａｒｃｈアクションも定義されている。Ｓｅａｒｃｈアクションはコントロールポイントが指定した条件を満たすオブジェクトの情報を返却するものである。ただし、Ｂｒｏｗｓｅアクションと違ってＳｅａｒｃｈアクションはオプションであり、総てのメディアサーバーに対して実行可能ではない。Ｓｅａｒｃｈアクションが実行できるかどうかは、service descriptionを取得することで確認することができる。
【００１４】
メディアレンダラーは、コントロールポイントから再生の指示を受けてメディアサーバーが公開するコンテンツの再生処理を行う。コントロールポイントは、再生動作の制御を行うためにメディアレンダラーのＡＶトランスポートサービス（ＡＶＴ)を利用する。再生動作の制御のために、ＡＶＴはいくつかのアクションを提供する。ＳｅｔＡＶＴｒａｎｓｐｏｒｔＵＲＩアクションは再生するコンテンツのデータが公開されているＵＲＩの情報を設定する。ＳｅｔＡＶＴｒａｎｓｐｏｒｔＵＲＩアクションは、ＵＲＩの情報とともにタイトル名などの属性情報を引数とすることができるが、どのような属性情報が引数に設定されるかはコントロールポイントによってことなり、まったく属性情報を設定しないことも可能である。Ｐｌａｙアクションは再生の開始を示し、その他にＳｔｏｐ、Ｐａｕｓｅなどのアクションが提供される。
【００１５】
図１は本実施例におけるホームネットワークが動作している部屋の配置および部屋に置かれている機器を示す図である。リビングにはデジタルテレビ１、ＰＣ(Personal computer)３、無線アクセスポイント５が置かれている。また、子供部屋と寝室にもデジタルテレビ１が置かれており、リビングの無線アクセスポイント５を介して相互に通信可能となるように接続されている。各デジタルテレビ１はメディアレンダラー機能を有している。またＰＣ３はメディアサーバー機能を有している。また、リビングと子供部屋には、コントロールポイント機能を有する携帯電話４も図示している。これらの携帯電話４についても無線アクセスポイント５を介してホームネットワークに接続された各機器と通信可能である。一般に無線アクセスポイントは有線接続の機能も持つものが多く、無線アクセスポイント５も同様である。
【００１６】
次に、本実施形態にかかる映像表示装置（映像再生装置）の構成について説明する。図２はデジタルテレビ１の構成を示すブロック図である。デジタルテレビ１は、チューナ１０１、デコーダ１０２、ＨＤＭＩ(High-definition multimedia interface)端子１０３、Ｄ端子１０４、コンポジット端子１０５、ＡＶスイッチ１０６、制御モジュール１０７、映像処理モジュール１０８、音声処理モジュール１０９、モニタ１１０、スピーカ１１１、ＯＳＤ(On screen display)モジュール１１２、リモコン受信モジュール１１３、メモリ１１４、ネットワーク端子１１５を有する。リビングのデジタルテレビ１は無線アクセスポイント５と有線で接続されているものとして以下説明する。
【００１７】
チューナ１０１は、アンテナ１０で受信した放送信号から所定の周波数の信号を選局して復調する。デコーダ１０２は、チューナ１０１で復調された信号をデコード処理する。ＨＤＭＩ端子１０３は、ＨＤＭＩ接続によって映像信号の伝送に用いられる外部端子である。Ｄ端子１０４は、映像信号の伝送に用いられる外部端子である。コンポジット端子１０５は、コンポジット映像信号の伝送に用いられる外部端子である。ＡＶスイッチ１０６は、デコーダ１０２でデコード処理された信号、ＨＤＭＩ端子１０３、Ｄ端子１０４、コンポジット端子１０５を介して入力された信号が入力される。ＡＶスイッチ１０６は、制御モジュール１０７による指示に従って、所望の信号の映像信号を映像処理モジュール１０８に、音声信号を音声処理モジュール１０９に出力する。
【００１８】
映像処理モジュール１０８は、ＡＶスイッチ１０６から入力された映像信号に対してモニタ１１０に表示するために映像処理する。制御モジュール１０７は、映像処理モジュール１０８で映像処理された映像信号をモニタ１１０に表示制御する。
【００１９】
音声処理モジュール１０９は、ＡＶスイッチから入力された音声信号に対してスピーカ１１１から出力するために音声処理する。制御モジュール１０７は、音声処理モジュール１０９で音声処理された音声信号をスピーカ１１１に出力制御する。ＯＳＤモジュール１１２は、制御モジュール１０７からの指示に従い、モニタ１１０の画面上に表示するグラフィックデータを生成する。ＯＳＤモジュール１１２は、映像処理モジュール１０８にグラフィックデータを出力する。ＯＳＤモジュール１１２は、グラフィックデータとして例えばメニュー画面などを生成する。リモコン受信モジュール１１３は、リモコン２０から送信された赤外線信号を受信し、リモコン信号を取り出して制御モジュール１０７に出力する。制御モジュール１１３は、リモコン信号の受信に基づいて各部を制御する。メモリ１１４は、各種情報を記録する。
【００２０】
ネットワーク端子１１５は、ネットワーク５に接続されたデバイスとＵＰｎＰのメッセージやコンテンツのデータを送受信する。ネットワーク端子１１５は、制御モジュール１０７と接続されている。制御モジュール１０７は、ネットワーク端子１１５を介して受信したＵＰｎＰのメッセージの処理及びネットワーク端子１１５を介してＵＰｎＰのメッセージをネットワーク５に送信する。制御モジュール１０７は、メディアサーバーからコンテンツのデータをネットワーク５を介して受信すると、ＨＴＴＰヘッダなどを処理した後にＡＶスイッチ１０６に出力する。制御モジュール１０７は、制御モジュール１０７内のバッファにコンテンツのデータを一時的に記録してＡＶスイッチ１０６に出力する。これは、制御モジュール１０７は、ネットワーク５を介してコンテンツのデータを受信する場合、ジッタが発生するためである。
【００２１】
図３は、本実施例における携帯電話４の構成を示す図である。無線LANモジュール３１、制御部３２、機器管理テーブル３３、ディスプレイ３４および可視光受信モジュール３５を備えている。
【００２２】
無線LANモジュール３１は無線アクセスポイント５を介してホームネットワークに接続された他の機器との通信を行うために使用される。制御部３２は無線LANモジュール３１を介して他の機器にメッセージを送信するとともに他の機器から受信したメッセージを処理してＵＰｎＰのプロトコルを実行する。また制御部は、ＵＰｎＰプロトコルを用いてホームネットワーク上のデバイスを検出するとデバイスの情報を機器管理テーブル３３に保持する。ユーザー操作はディスプレイ３４を用いて行う。ディスプレイ３４はタッチパネル機能を備えた液晶ディスプレイであり、制御部３２はディスプレイ３４に操作画面を表示するとともに、ユーザーが行う操作結果を入力として受け取り、操作結果に応じた処理を行う。可視光受信モジュールは可視光通信の信号を受信し、受信データを制御部に出力する。可視光受信モジュール３５では、機器が置かれている部屋の照明器具から送信される照明器具固有のＩＤを受信し、制御部３２に通知する。
【００２３】
図４は、機器管理テーブルの構成を示す図である。機器管理テーブルは、制御部がＵＰｎＰプロトコルを用いて発見したデバイスの情報を格納する。各デバイスに対しては、内部管理用に一意な値が設定されたＩＤ、デバイスタイプにはメディアサーバーかメディアレンダラーのいずれかの値をもつデバイスの種別情報、device descriptionから取得したfrinedly nameを設定するfriendly name、デバイス固有の値であるUDN(unique device name)、デバイスが存在する場所を示す情報である位置情報を記憶している。位置情報は、デバイスが照明器具から可視光通信によって受信した照明器具固有のＩＤであり、デバイスがdevice description中に記述した値を取り出して記憶したものである。携帯電話はデバイスから受信した情報と自身が可視光通信で受信したＩＤとが等しい場合には、携帯電話が存在するのと同じ部屋にデバイスが存在していると判断する。
【００２４】
図５はリビングの各機器が照明器具Ｌから送信されるＩＤを受信している状況を図示したものである。照明器具Ｌは、例えばＬＥＤを発効素子として、照明に重畳して信号伝送を行う。各照明器具には器具に固有のＩＤが割り当てられており、そのＩＤを送信するものである。リビングにあるデジタルテレビ１、ＰＣ３、携帯電話４にはそれぞれ可視光受信モジュールが備えられており、照明器具Ｌから送信されるＩＤを受信することができるようになっている。
【００２５】
次に、携帯電話４がメディアサーバーに対するコントロールポイントとして動作し、メディアサーバーとして動作するＰＣ３で記録しているコンテンツをメディアレンダラーとして動作するデジタルテレビ１で再生処理させる動作について説明する。図７は、この場合のシーケンス図である。
【００２６】
はじめに、ユーザーは、携帯電話４とネットワーク５を介して接続されているメディアサーバーが記録されている図４に示すデバイスリストに基づいて図示しないディスプレイに表示されたメディアサーバー一覧リストから所望のメディアサーバーを選択する。また、ユーザーは、携帯電話４でメディアサーバーが公開するコンテンツを再生処理するメディアレンダラーを選択する。ここでは、ユーザーが、メディアサーバーとしてＰＣ３、メディアレンダラーとしてデジタルテレビ１を選択した場合について説明する。
【００２７】
携帯端末４は、ＰＣ３に記録されているオブジェクトツリーの最上位のコンテナに対してＣＤＳのＢｒｏｗｓｅアクションリクエストをネットワーク端子１１５からＰＣ３に送出する。
【００２８】
ＰＣ３は、オブジェクトツリーの最上位のコンテナに含まれるコンテンツのタイトルのタイトル名、ジャンル情報、ＣＤＳ内での識別子であるｏｂｊｅｃｔ  ＩＤ、最上位のコンテナのｏｂｊｅｃｔ  ＩＤ（ｐａｒｅｎｔ  ＩＤ）などの属性情報、コンテンツのデータ転送に用いるＵＲＩなどの情報をＣＤＳのＢｒｏｗｓｅアクションレスポンスとして携帯電話４に送信する。携帯電話４は、オブジェクトツリーの最上位のコンテナから下位のコンテナが選択されるに従って、必要に応じてＢｒｏｗｓｅアクションリクエストをＰＣ３に対して複数回呼び出し、ＰＣ３が公開しているコンテンツの情報を収集する。
【００２９】
携帯電話４は、任意のコンテナに含まれるオブジェクトリストを画面に表示する。ユーザは、携帯電話４を用いてデジタルテレビ１で再生処理する再生対象コンテンツに対応するオブジェクトを選択する。
【００３０】
携帯電話４は、再生対象コンテンツに対応するオブジェクトを決定すると、このオブジェクトに関してＢｒｏｗｓｅアクションレスポンスで取得した情報のうちデジタルテレビ１での再生処理に使用するＵＲＩ情報及び属性情報をデジタルテレビ１に通知する。携帯電話４は、デジタルテレビ１のＡＶＴのＳｅｔＡＶＴｒａｎｓｐｏｒｔＵＲＩアクションリクエストを呼び出してＵＲＩ情報及び属性情報をデジタルテレビ１に通知する。このとき、制御モジュール１０７及びネットワーク端子１１５は、ＵＲＩ情報及び属性情報の受信手段として機能する。デジタルテレビ１は、ＳｅｔＡＶＴｒａｎｓｐｏｒｔＵＲＩアクションが呼び出されると、ＵＲＩ情報及び属性情報をメモリ１１４に記録する。その後、デジタルテレビ１は、携帯電話４に対してＡＶＴのＳｅｔＡＶＴｒａｎｓｐｏｒｔＵＲＩレスポンスを送信する。
【００３１】
次に、携帯電話４は、ユーザーによるデジタルテレビ１でコンテンツの再生処理の要求に基づいて、ＡＶＴのＰｌａｙリクエストをデジタルテレビ１に送信する。デジタルテレビ１は、ＡＶＴのＰｌａｙアクションを呼び出し、ＡＶＴのＰｌａｙレスポンスを携帯電話４に送信する。デジタルテレビ１は、ＳｅｔＡＶＴｒａｎｓｐｏｒｔＵＲＩアクションで通知されたＰＣ３に記録されている再生対象コンテンツに対応するオブジェクトのＵＲＩに基づいて、ＰＣ３にＨＴＴＰ  ＧＥＴリクエストを送信する。デジタルテレビ１は、ＰＣ３から受信したＨＴＴＰレスポンスにより再生対象コンテンツのデータを取得する。制御モジュール１０７は、再生対象コンテンツデータの取得手段として機能する。デジタルテレビ１は、ＳｅｔＡＶＴｒａｎｓｐｏｒｔＵＲＩアクションを呼び出された時点でＨＴＴＰ  ＧＥＴリクエストをＰＣ３に送信し、ＡＶＴのＰｌａｙアクションが呼び出された後から再生対象コンテンツの再生処理開始までの時間を短縮するようにしてもよい。
【００３２】
制御モジュール１０７は、ＰＣ３から取得した再生対象コンテンツのデータ部分をＡＶスイッチ１０６を介して映像処理モジュール１０８、音声処理モジュール１０９に出力し、再生対象コンテンツをモニタ１１０に表示する。制御モジュール１０７及び映像処理モジュール１０８は、コンテンツデータの表示制御手段として機能する。
【００３３】
制御モジュール１０７は、再生対象コンテンツの再生処理と並行して、再生中の再生対象コンテンツについて指定されたＵＲＩを持つアイテムが属するコンテナの情報を検索する。ここでは、再生対象コンテンツに対応するアイテムが属するコンテナを検索対象コンテナと称す。制御モジュール１０７は、コンテナの検索手段として機能する。制御モジュール１０７は、ＡＶＴのＳｅｔＡＶＴｒａｎｓｐｏｒｔＵＲＩアクションが呼び出された後、または、ＡＶＴのＰｌａｙアクションが呼び出された後などに検索対象コンテナを検索する。
【００３４】
制御モジュール１０７は、ＨＴＴＰ  ＧＥＴレスポンスで再生対象コンテンツについて総てのデータの受信を完了している場合、または、ＡＶＴのＳｔｏｐアクションが呼び出された場合、再生対象コンテンツの再生処理を停止する。
【００３５】
リビングにおいて携帯電話４を操作して、ＰＣ３のコンテンツをリビングのＴＶで再生する場合の処理について説明する。ユーザーは再生をさせるメディアレンダラーを選択するためにメディアレンダラーのリスト表示を要求する。制御部３２はメディアレンダラーのリストを表示するために、機器管理テーブル３３からデバイスタイプがメディアレンダラーであるデバイスの情報を読み出す。次に、位置情報フィールドの値から同じ部屋にあるデバイスを抽出する。同じ部屋にあるデバイスが見つかった場合には、そのデバイスを先頭に表示し、その他のデバイスを続けて表示する。結果として、同じリビングにあるリビングのＴＶが先頭に表示される。さらに、同じ部屋のデバイスについては背景色を変更するなど、ユーザーが容易に見分けられるような表示を行ってもよい。ユーザーがメディアレンダラーのリストからメディアレンダラーを選択すると、制御部３２は選択されたメディアレンダラーが同じ部屋にあるデバイスかを機器管理テーブル３３の情報から確認し、同じ部屋でない場合には確認メッセージを表示する。メディアレンダラーを選択すると、次に再生するコンテンツを選択するために、メディアサーバーのリストを表示する。メディアサーバーについては、同じ部屋にある必要はないため、位置情報のチェックは行わない。メディアサーバーが選択されると、制御部は選択されたメディアサーバーに対して上記のシーケンスのようにＣＤＳ：Ｂｒｏｗｓｅアクションを実行してコンテンツの情報を取得し、コンテンツのリストをディスプレイに表示する。表示されたコンテンツのリストからコンテンツが選択されると、制御部３２ははじめに選択されたメディアサーバーに対して再生要求を呼び出す。
【００３６】
このように、メディアサーバーを選択する際に、デバイスの位置情報を反映してリスト表示を行ったり、選択された際に確認メッセージを表示するなどの制御を追加することによって、ユーザーがコンテンツの再生を視聴しようとして操作しているはずなのに、誤って別の部屋のメディアサーバーを選択してしまうことをさけられるようになるため、機器の選択が容易になる。
【００３７】
（第２の実施形態）
本発明による第２の実施形態を図１、図２及び図４乃至図８を参照して説明する。実施形態１と共通する部分は説明を省略する。
図８は実施例における携帯電話４の別の構成を示す図である。無線LANモジュール３１、制御部３２、機器管理テーブル３３、ディスプレイ３４および赤外線通信モジュール８５を備えている。
【００３８】
即ち携帯電話４は赤外線通信モジュール８５を有しており、赤外線を用いて他の機器と通信を行う。制御部３２がＵＰｎＰプロトコルを用いて新たなデバイスを発見すると、制御部３２は赤外線通信モジュール８５を介して発見したデバイスと通信を試みる。デバイスを識別するために、device descriptionから取得したUDNを送信し、応答が得られた場合には機器管理テーブル３３の位置情報として通信可能であることを示す情報をセットする。
【００３９】
ユーザーが携帯電話を操作してメディアレンダラーを選択する場合には、上実施形態１の場合と同じく機器管理テーブル３３の情報をもとにしてメディアレンダラーのリスト表示や選択時の確認メッセージの表示などを行うことが可能である。
【００４０】
実施形態２では、実施形態１で照明器具Ｌを介在して受動的に近いメディアレンダラーを検知したのに対し、赤外線通信モジュール８５を用いて能動的に近いメディアレンダラーを検知する。
【００４１】
本実施形態によって、コントロールポイントからメディアサーバーとメディアレンダラーを操作して、メディアサーバー内のコンテンツをメディアレンダラーで再生するために、再生するメディアレンダラーを選択する際にユーザーが容易に意図した機器を選択できるようになる。
【００４２】
ネットワークで接続された機器を検出する機器検出機能と、前記機器検出機能で検出した機器の位置情報を検出する位置情報検出機能と、前記機器検出機能で検出した機器に対する操作を行う機器操作機能と、を有し、前記機器操作機能は、前記位置情報検出機能が検出した位置情報に従って表示等の動作を変更することを特徴とする映像再生制御装置を説明した。
【００４３】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４４】
１…デジタルテレビ、３…ＰＣ、４…携帯電話、５…無線アクセスポイント、３１…無線LANモジュール、３２…制御部、３３…機器管理テーブル、３４…ディスプレイ、３５…可視光受信モジュール、８５…赤外線通信モジュール、１０７…制御モジュール、１０８…映像処理モジュール１０８、１１０…モニタ、１１２…ＯＳＤモジュール、１１４…メモリ、１１５…ネットワーク端子、Ｌ…照明器具。
【図１】
2012034041.tif 000003
【図２】
2012034041.tif 000004
【図３】
2012034041.tif 000005
【図４】
2012034041.tif 000006
【図５】
2012034041.tif 000007
【図６】
2012034041.tif 000008
【図７】
2012034041.tif 000009
【図８】
2012034041.tif 000010